(57)【要約】【課題】クリーンルーム用の更衣室におけるダクトの配置を最適化する。【解決手段】クリーンルーム用の更衣室（10）は、それぞれが天井側に設けられた給気口（14a〜19a）および床側に設けられた排気口（14b〜19b）を有し、順に一列に並んで配置された脱衣室（14,15）、エアロック室（16,17）、および着衣室（18,19）を備える。各室（14〜19）の排気口（14b〜19b）から流入した空気が流れるダクト（34〜39）は、床側から天井側に向かって上下方向に延びる空気上昇部（34b〜39b）を有する。空気上昇部（34b〜39b）は、脱衣室（14,15）と着衣室（18,19）との間に配置されている。【選択図】図１
2019174071.tif 000002
【特許請求の範囲】
【請求項１】
クリーンルーム用の更衣室（10）であって、
それぞれが天井側に設けられた給気口（14a〜19a）および床側に設けられた排気口（14b〜19b）を有し、順に一列に並んで配置された脱衣室（14,15）、エアロック室（16,17）、および着衣室（18,19）と、
上記脱衣室（14,15）の上記排気口（14b,15b）から流入した空気が通る脱衣室ダクト（34,35）と、
上記エアロック室（16,17）の上記排気口（16b,17b）から流入した空気が通るエアロック室ダクト（36,37）と、
上記着衣室（18,19）の上記排気口（18b,19b）から流入した空気が通る着衣室ダクト（38,39）とを備え、
上記脱衣室ダクト（34,35）、上記エアロック室ダクト（36,37）、および上記着衣室ダクト（38,39）の各々は、床側から天井側に向かって上下方向に延びる空気上昇部（34b〜39b）を有し、
上記脱衣室ダクト（34,35）、上記エアロック室ダクト（36,37）、および上記着衣室ダクト（38,39）の上記空気上昇部（34b〜39b）は、上記脱衣室（14,15）と上記着衣室（18,19）との間に配置されている
ことを特徴とするクリーンルーム用の更衣室。
【請求項２】
請求項１において、
上記脱衣室（14,15）に配置された脱衣ロッカー（14c,15c）と、
上記着衣室（18,19）に配置された着衣ロッカー（18c,19c）とを備え、
上記脱衣室ダクト（34,35）、上記エアロック室ダクト（36,37）、および上記着衣室ダクト（38,39）の上記空気上昇部（34b〜39b）は、上記脱衣ロッカー（14c,15c）と上記着衣ロッカー（18c,19c）との間に配置されている
ことを特徴とするクリーンルーム用の更衣室。
【請求項３】
請求項１または２において、
上記脱衣室（14,15）、上記エアロック室（16,17）、および上記着衣室（18,19）は、上記クリーンルームに対する入室経路および退室経路の各々に設けられており、
入室経路の上記脱衣室（14）と退室経路の上記着衣室（19）とが隣接する一方、入室経路の上記着衣室（18）と退室経路の上記脱衣室（15）とが隣接している
ことを特徴とするクリーンルーム用の更衣室。
【請求項４】
請求項３において、
入室経路の上記エアロック室（16）と退室経路の上記エアロック室（17）との間に配置されたダクト室（20）を備え、
上記脱衣室ダクト（34,35）、上記エアロック室ダクト（36,37）、および上記着衣室ダクト（38,39）の上記空気上昇部（34b〜39b）は、上記ダクト室（20）に配置されている
ことを特徴とするクリーンルーム用の更衣室。
【請求項５】
請求項１〜４のいずれか１項において、
上記脱衣室（14,15）の上記給気口（14a,15a）と上記排気口（14b,15b）とは、上記脱衣室ダクト（34,35）を介して互いに連通し、
上記エアロック室（16,17）の上記給気口（16a,17a）と上記排気口（16b,17b）とは、上記エアロック室ダクト（36,37）を介して互いに連通し、
上記着衣室（18,19）の上記給気口（18a,19a）と上記排気口（18b,19b）とは、上記着衣室ダクト（38,39）を介して互いに連通し、
上記脱衣室ダクト（34,35）、上記エアロック室ダクト（36,37）、および上記着衣室ダクト（38,39）の各々には、内部を通る空気中の塵埃を除去するフィルタ（41）が設けられている
ことを特徴とするクリーンルーム用の更衣室。
【発明の詳細な説明】
【技術分野】
【０００１】
本開示は、クリーンルーム用の更衣室に関するものである。
【背景技術】
【０００２】
従来より、天井の給気口から空気が吹き出されると共に、その空気を床または床付近の内壁に設けた排気口から吸い込まれるクリーンルームが知られている（例えば、特許文献１）。このような空気の流れによって、クリーンルームの清浄度が高められる。
【先行技術文献】
【特許文献】
【０００３】
【特許文献１】特開２００６−２０４２１９号公報
【発明の概要】
【発明が解決しようとする課題】
【０００４】
ところで、クリーンルーム用の更衣室（以下、単に更衣室とも言う）においても、天井側から床側へ流れる空気の流れを生じさせるために、床側に排気口を設けることがある。さらに、この場合、当該排気口から流入した空気を天井側に導くように上下方向に延びる部分を有するダクトを設けることがある。しかしながら、そのようなダクトの配置については未だ改善の余地がある。
【０００５】
本開示の目的は、クリーンルーム用の更衣室におけるダクトの配置を最適化することにある。
【課題を解決するための手段】
【０００６】
本開示の第１の態様は、クリーンルーム用の更衣室（10）を対象とする。クリーンルーム用の更衣室（10）は、それぞれが天井側に設けられた給気口（14a〜19a）および床側に設けられた排気口（14b〜19b）を有し、順に一列に並んで配置された脱衣室（14,15）、エアロック室（16,17）、および着衣室（18,19）と、上記脱衣室（14,15）の上記排気口（14b,15b）から流入した空気が通る脱衣室ダクト（34,35）と、上記エアロック室（16,17）の上記排気口（16b,17b）から流入した空気が通るエアロック室ダクト（36,37）と、上記着衣室（18,19）の上記排気口（18b,19b）から流入した空気が通る着衣室ダクト（38,39）とを備え、上記脱衣室ダクト（34,35）、上記エアロック室ダクト（36,37）、および上記着衣室ダクト（38,39）の各々は、床側から天井側に向かって上下方向に延びる空気上昇部（34b〜39b）を有し、上記脱衣室ダクト（34,35）、上記エアロック室ダクト（36,37）、および上記着衣室ダクト（38,39）の上記空気上昇部（34b〜39b）は、上記脱衣室（14,15）と上記着衣室（18,19）との間に配置されている。
【０００７】
第１の態様では、脱衣室（14,15）の排気口（14b,15b）から流入した空気が、脱衣室ダクト（34,35）の空気上昇部（34b,35b）を通って床側から天井側に向かって流れ、エアロック室（16,17）の排気口（16b,17b）から流入した空気が、エアロック室ダクト（36,37）の空気上昇部（36b,37b）を通って床側から天井側に向かって流れ、着衣室（18,19）の排気口（18b,19b）から流入した空気が、着衣室ダクト（38,39）の空気上昇部（38b,39b）を通って床側から天井側に向かって流れる。そして、各空気上昇部（34b〜39b）が脱衣室（14,15）と着衣室（18,19）との間に配置されている。したがって、脱衣室（14,15）または着衣室（18,19）を利用する者は、その内部空間を各ダクト（34〜39）の空気上昇部（34b〜39b）に妨げられることなく有効活用することができる。
【０００８】
本開示の第２の態様は、上記第１の態様において、上記脱衣室（14,15）に配置された脱衣ロッカー（14c,15c）と、上記着衣室（18,19）に配置された着衣ロッカー（18c,19c）とを備え、上記脱衣室ダクト（34,35）、上記エアロック室ダクト（36,37）、および上記着衣室ダクト（38,39）の上記空気上昇部（34b〜39b）は、上記脱衣ロッカー（14c,15c）と上記着衣ロッカー（18c,19c）との間に配置されていることを特徴とする。
【０００９】
第２の態様では、エアロック室（16,17）またはエアロック室（16,17）近傍においてデッドスペースになりがちな脱衣ロッカー（14c,15c）と着衣ロッカー（18c,19c）との間の空間を、各ダクト（34〜39）の空気上昇部（34b〜39b）を配置するために有効活用することができる。
【００１０】
本開示の第３の態様は、上記第１または第２の態様において、上記脱衣室（14,15）、上記エアロック室（16,17）、および上記着衣室（18,19）は、上記クリーンルームに対する入室経路および退室経路の各々に設けられており、入室経路の上記脱衣室（14）と退室経路の上記着衣室（19）とが隣接する一方、入室経路の上記着衣室（18）と退室経路の上記脱衣室（15）とが隣接していることを特徴とする。
【００１１】
第３の態様では、更衣室（10）を利用する者は、クリーンルームに入る際には入室経路の脱衣室（14）、エアロック室（16）、および着衣室（18）を通る一方、クリーンルームから出る際には退室経路の脱衣室（15）、エアロック室（17）、および着衣室（19）を通る。
【００１２】
本開示の第４の態様は、上記第３の態様において、入室経路の上記エアロック室（16）と退室経路の上記エアロック室（17）との間に配置されたダクト室（20）を備え、上記脱衣室ダクト（34,35）、上記エアロック室ダクト（36,37）、および上記着衣室ダクト（38,39）の上記空気上昇部（34b〜39b）は、上記ダクト室（20）に配置されていることを特徴とする。
【００１３】
第４の態様では、入室経路のエアロック室（16）と退室経路のエアロック室（17）との間に配置されたダクト室（20）に各ダクト（34〜39）の空気上昇部（34b〜39b）が集まって配置される。つまり、各ダクト（34〜39）の空気上昇部（34b〜39b）を配置するために、１つのダクト室（20）を更衣室（10）に設ければ足りる。したがって、各ダクト（34〜39）の空気上昇部（34b〜39b）を分散して配置する場合に比べて、更衣室（10）の構造をシンプルなものにすることができる。
【００１４】
本開示の第５の態様は、上記第１〜第４の態様のいずれか１つにおいて、上記脱衣室（14,15）の上記給気口（14a,15a）と上記排気口（14b,15b）とは、上記脱衣室ダクト（34,35）を介して互いに連通し、上記エアロック室（16,17）の上記給気口（16a,17a）と上記排気口（16b,17b）とは、上記エアロック室ダクト（36,37）を介して互いに連通し、上記着衣室（18,19）の上記給気口（18a,19a）と上記排気口（18b,19b）とは、上記着衣室ダクト（38,39）を介して互いに連通し、上記脱衣室ダクト（34,35）、上記エアロック室ダクト（36,37）、および上記着衣室ダクト（38,39）の各々には、内部を通る空気中の塵埃を除去するフィルタ（41）が設けられていることを特徴とする。
【００１５】
第５の態様では、例えば脱衣室（14,15）を例にとると、脱衣室（14,15）、排気口（14b,15b）、脱衣室ダクト（34,35）、給気口（14a、15a）、そして脱衣室（14,15）の順に空気が循環する。そして、循環する空気中の塵埃は、脱衣室ダクト（34,35）に設けられたフィルタ（41）によって除去される。エアロック室（16,17）および着衣室（18,19）についても同様である。
【図面の簡単な説明】
【００１６】
【図１】図１は、実施形態１のクリーンルーム用の更衣室のレイアウトを概略的に示す平面図である。
【図２】図２は、実施形態１のクリーンルーム用の更衣室における各ダクトの構成を概略的に示す斜視図である。
【図３】図３は、各室での空気流を説明するための概略図である。
【図４】図４は、実施形態２のクリーンルーム用の更衣室のレイアウトを概略的に示す平面図である。
【発明を実施するための形態】
【００１７】
《実施形態１》
実施形態１について図１〜図３を参照して説明する。なお、図１〜図３において、更衣室（10）の左側にクリーンルームが存在する。一方、図１〜図３における更衣室（10）の右側にクリーンルームが存在していてもよい。
【００１８】
−更衣室のレイアウト−
図１〜図３に示すように、本実施形態のクリーンルーム用の更衣室（10）は、第１〜第３前室（11〜13）と、第１および第２脱衣室（14,15）と、第１および第２エアロック室（16,17）と、第１および第２着衣室（18,19）と、ダクト室（20）とを備える。これらの各室（11〜20）は、互いに壁で仕切られている。
【００１９】
第１脱衣室（14）、第１エアロック室（16）、第１着衣室（18）、および第２前室（12）は、この順に（図１において右から左へ）一列に並んで配置されている。第３前室（13）、第２脱衣室（15）、第２エアロック室（17）、第２着衣室（19）は、この順に（図１において左から右へ）一列に並んで配置されている。第１前室（11）は、第１脱衣室（14）および第２着衣室（19）と隣接している。第１脱衣室（14）と第２着衣室（19）とは、隣接している。第１着衣室（18）と第２脱衣室（15）とは、隣接している。
【００２０】
ダクト室（20）は、第１エアロック室（16）と第２エアロック室（17）との間に配置されている。また、ダクト室（20）は、第１脱衣室（14）と第１着衣室（18）との間に配置されている。さらに、ダクト室（20）は、第２脱衣室（15）と第２着衣室（19）との間に配置されている。
【００２１】
−給気口および排気口−
図２および図３に示すように、第１〜第３前室（11〜13）と、第１および第２脱衣室（14,15）と、第１および第２エアロック室（16,17）と、第１および第２着衣室（18,19）とは、それぞれの天井に給気口（11a〜19a）が設けられている。本実施形態では、各室（11〜19）に１つずつ給気口（11a〜19a）が設けられているが、各室（11〜19）に設けられる給気口（11a〜19a）の数は、それぞれいくつであってもよい。
【００２２】
また、第１および第２脱衣室（14,15）と、第１および第２着衣室（18,19）とは、それぞれの床が一部を残して所定の高さだけ持ち上がっている。
【００２３】
具体的に、第１脱衣室（14）の床は、第１前室（11）と第１脱衣室（14）とを仕切る壁に設けられた出入口の近傍の領域（図１で右上側の領域）を除いて所定の高さだけ持ち上がっている。また、第１着衣室（18）の床は、第１着衣室（18）と第２前室（12）とを仕切る壁に設けられた出入口の近傍の領域（図１で左上側の領域）を除いて所定の高さだけ持ち上がっている。また、第２脱衣室（15）の床は、第３前室（13）と第２脱衣室（15）とを仕切る壁に設けられた出入口の近傍の領域（図１で左下側の領域）を除いて所定の高さだけ持ち上がっている。また、第２着衣室（19）の床は、第２着衣室（19）と第１前室（11）とを仕切る壁に設けられた出入口の近傍の領域（図１で右下側の領域）を除いて所定の高さだけ持ち上がっている。
【００２４】
一方、第１および第２エアロック室（16,17）は、それぞれの床が全体的に所定の高さだけ持ち上がっている。
【００２５】
第１〜第３前室（11〜13）と、第１および第２脱衣室（14,15）と、第１および第２エアロック室（16,17）と、第１および第２着衣室（18,19）とは、それぞれの床近傍に排気口（11b〜19b）が設けられている。本実施形態では、第１前室（11）を除く各室（12〜19）に１つずつ排気口（12b〜19b）が設けられると共に第１前室（11）に２つの排気口（11b）が設けられているが、各室（11〜19）に設けられる排気口（11b〜19b）の数は、それぞれいくつであってもよい。
【００２６】
具体的に、第１前室（11）は、第１前室（11）と第１脱衣室（14）との境界における床の持ち上がり部分の側壁と、第１前室（11）と第２着衣室（19）との境界における床の持ち上がり部分の側壁とに、それぞれ排気口（11b）が設けられている。また、第２前室（12）は、第１着衣室（14）と第２前室（12）との境界における床の持ち上がり部分の側壁に排気口（12b）が設けられている。また、第３前室（13）は、第３前室（13）と第２脱衣室（15）との境界における床の持ち上がり部分の側壁に排気口（13b）が設けられている。また、第１および第２脱衣室（14,15）と、第１および第２着衣室（18,19）とは、それぞれの内部における床の持ち上がり部分の側壁に排気口（14b,15b,18b,19b）が設けられている。また、第１および第２エアロック室（16,17）は、それぞれの床近傍におけるダクト室（20）側の壁面に排気口（16b,17b）が設けられている。
【００２７】
−脱衣ロッカーおよび着衣ロッカー−
図１に示すように、更衣室（10）は、第１脱衣室（14）に配置された第１脱衣ロッカー（14c）と、第１着衣室（18）に配置された第１着衣ロッカー（18c）と、第２脱衣室（15）に配置された第２脱衣ロッカー（15c）と、第２着衣室（19）に配置された第２着衣ロッカー（19c）とを備える。
【００２８】
第１脱衣ロッカー（14c）は、第１脱衣室（14）における第２着衣室（19）側（図１における下側）に一列に並んで複数（この例では、４つ）配置されている。第１着衣ロッカー（18c）は、第１着衣室（18）における第２脱衣室（15）側（図１における下側）に一列に並んで複数（この例では、４つ）配置されている。つまり、第１脱衣ロッカー（14c）と第１着衣ロッカー（18c）とは、第１エアロック室（16）ないしダクト室（20）を挟んで互いに一列に並んで配置されている。
【００２９】
第２脱衣ロッカー（15c）は、第２脱衣室（15）における第１着衣室（18）側（図１における上側）に一列に並んで複数（この例では、４つ）配置されている。第２着衣ロッカー（19c）は、第２着衣室（19）における第１脱衣室（14）側（図１における上側）に一列に並んで複数（この例では、４つ）配置されている。つまり、第２脱衣ロッカー（15c）と第２着衣ロッカー（19c）とは、第２エアロック室（17）ないしダクト室（20）を挟んで互いに一列に並んで配置されている。
【００３０】
第１脱衣ロッカー（14c）と第２着衣ロッカー（19c）とは、互いに連通している。このため、クリーンルームを使用する者は、クリーンルームに入る前に第１脱衣室（14）で脱いだ通常の衣服を第１脱衣ロッカー（14c）に入れておいて、クリーンルームから出た後に同じ衣服を第２着衣ロッカー（19c）から取り出して着ることができる。なお、第１脱衣ロッカー（14c）と第２着衣ロッカー（19c）とは、互いに連通していなくてもよい。
【００３１】
−各ダクトの構成−
図１〜図３に示すように、更衣室（10）は、第１〜第３前室ダクト（31〜33）と、第１および第２脱衣室ダクト（34,35）と、第１および第２エアロック室ダクト（36,37）と、第１および第２着衣室ダクト（38,39）とを備える。これらの各ダクト（31〜39）は、互いに流体的に分離されている。
【００３２】
第１前室ダクト（31）は、第１前室（11）の排気口（11b）が流入開口となる一方、第１前室（11）の給気口（11a）が流出開口となっている。第１前室ダクト（31）は、第１前室（11）の排気口（11b）に連通して第１脱衣室（14）および第２着衣室（19）の床下を通る床下部（31a）と、この床下部（31a）に連通して床側から天井側に向かって上下方向に延びる空気上昇部（31b）と、この空気上昇部（31b）に連通しかつ天井裏を延びて第１前室（11）の給気口（11a）に連通する天井裏部（31c）とを有する。第１前室ダクト（31）の空気上昇部（31b）は、ダクト室（20）に配置されている。第１前室ダクト（31）の空気上昇部（31b）は、第１脱衣室（14）と第１着衣室（18）との間、より具体的には第１脱衣ロッカー（14c）と第１着衣ロッカー（18c）との間に配置されている。また、第１前室ダクト（31）、この例では第１前室ダクト（31）の天井裏部（31c）には、内部を通る空気中の塵埃を除去するフィルタ（41）が設けられている。
【００３３】
第２前室ダクト（32）は、第２前室（12）の排気口（12b）が流入開口となる一方、第２前室（12）の給気口（12a）が流出開口となっている。第２前室ダクト（32）は、第２前室（12）の排気口（12b）に連通して第１着衣室（18）の床下を通る床下部（32a）と、この床下部（32a）に連通して床側から天井側に向かって上下方向に延びる空気上昇部（32b）と、この空気上昇部（32b）に連通しかつ天井裏を延びて第２前室（12）の給気口（12a）に連通する天井裏部（32c）とを有する。第２前室ダクト（32）の空気上昇部（32b）は、ダクト室（20）に配置されている。第２前室ダクト（32）の空気上昇部（32b）は、第１脱衣室（14）と第１着衣室（18）との間、より具体的には第１脱衣ロッカー（14c）と第１着衣ロッカー（18c）との間に配置されている。また、第２前室ダクト（32）、この例では第２前室ダクト（32）の天井裏部（32c）には、内部を通る空気中の塵埃を除去するフィルタ（41）が設けられている。
【００３４】
第３前室ダクト（33）は、第３前室（13）の排気口（13b）が流入開口となる一方、第３前室（13）の給気口（13a）が流出開口となっている。第３前室ダクト（33）は、第３前室（13）の排気口（13b）に連通して第２脱衣室（15）の床下を通る床下部（33a）と、この床下部（33a）に連通して床側から天井側に向かって上下方向に延びる空気上昇部（33b）と、この空気上昇部（33b）に連通しかつ天井裏を延びて第３前室（13）の給気口（13a）に連通する天井裏部（33c）とを有する。第３前室ダクト（33）の空気上昇部（33b）は、ダクト室（20）に配置されている。第３前室ダクト（33）の空気上昇部（33b）は、第２脱衣室（15）と第２着衣室（19）との間、より具体的には第２脱衣ロッカー（15c）と第２着衣ロッカー（19c）との間に配置されている。また、第３前室ダクト（33）、この例では第３前室ダクト（33）の天井裏部（33c）には、内部を通る空気中の塵埃を除去するフィルタ（41）が設けられている。
【００３５】
第１脱衣室ダクト（34）は、第１脱衣室（14）の排気口（14b）が流入開口となる一方、第１脱衣室（14）の給気口（14a）が流出開口となっている。第１脱衣室ダクト（34）は、第１脱衣室（14）の排気口（14b）に連通して第１脱衣室（14）ないし第１エアロック室（16）の床下を通る床下部（34a）と、この床下部（34a）に連通して床側から天井側に向かって上下方向に延びる空気上昇部（34b）と、この空気上昇部（34b）に連通しかつ天井裏を延びて第１脱衣室（14）の給気口（14a）に連通する天井裏部（34c）とを有する。第１脱衣室ダクト（34）の空気上昇部（34b）は、ダクト室（20）に配置されている。第１脱衣室ダクト（34）の空気上昇部（34b）は、第１脱衣室（14）と第１着衣室（18）との間、より具体的には第１脱衣ロッカー（14c）と第１着衣ロッカー（18c）との間に配置されている。また、第１脱衣室ダクト（34）、この例では第１脱衣室ダクト（34）の天井裏部（34c）には、内部を通る空気中の塵埃を除去するフィルタ（41）が設けられている。
【００３６】
第２脱衣室ダクト（35）は、第２脱衣室（15）の排気口（15b）が流入開口となる一方、第２脱衣室（15）の給気口（15a）が流出開口となっている。第２脱衣室ダクト（35）は、第２脱衣室（15）の排気口（15b）に連通して第２脱衣室（15）ないし第２エアロック室（17）の床下を通る床下部（35a）と、この床下部（35a）に連通して床側から天井側に向かって上下方向に延びる空気上昇部（35b）と、この空気上昇部（35b）に連通しかつ天井裏を延びて第２脱衣室（15）の給気口（15a）に連通する天井裏部（35c）とを有する。第２脱衣室ダクト（35）の空気上昇部（35b）は、ダクト室（20）に配置されている。第２脱衣室ダクト（35）の空気上昇部（35b）は、第２脱衣室（15）と第２着衣室（19）との間、より具体的には第２脱衣ロッカー（15c）と第２着衣ロッカー（19c）との間に配置されている。また、第２脱衣室ダクト（35）、この例では第２脱衣室ダクト（35）の天井裏部（35c）には、内部を通る空気中の塵埃を除去するフィルタ（41）が設けられている。
【００３７】
第１エアロック室ダクト（36）は、第１エアロック室（16）の排気口（16b）が流入開口となる一方、第１エアロック室（16）の給気口（16a）が流出開口となっている。第１エアロック室ダクト（36）は、第１エアロック室（16）の排気口（16b）に連通して床側から天井側に向かって上下方向に延びる空気上昇部（36b）と、この空気上昇部（36b）に連通しかつ天井裏を延びて第１エアロック室（16）の給気口（16a）に連通する天井裏部（36c）とを有する。第１エアロック室ダクト（36）の空気上昇部（36b）は、ダクト室（20）に配置されている。第１エアロック室ダクト（36）の空気上昇部（36b）は、第１脱衣室（14）と第１着衣室（18）との間、より具体的には第１脱衣ロッカー（14c）と第１着衣ロッカー（18c）との間に配置されている。また、第１エアロック室ダクト（36）、この例では第１エアロック室ダクト（36）の天井裏部（36c）には、内部を通る空気中の塵埃を除去するフィルタ（41）が設けられている。
【００３８】
第２エアロック室ダクト（37）は、第２エアロック室（17）の排気口（17b）が流入開口となる一方、第２エアロック室（17）の給気口（17a）が流出開口となっている。第２エアロック室ダクト（37）は、第２エアロック室（17）の排気口（17b）に連通して床側から天井側に向かって上下方向に延びる空気上昇部（37b）と、この空気上昇部（37b）に連通しかつ天井裏を延びて第２エアロック室（17）の給気口（17a）に連通する天井裏部（37c）とを有する。第２エアロック室ダクト（37）の空気上昇部（37b）は、ダクト室（20）に配置されている。第２エアロック室ダクト（37）の空気上昇部（37b）は、第２脱衣室（15）と第２着衣室（19）との間、より具体的には第２脱衣ロッカー（15c）と第２着衣ロッカー（19c）との間に配置されている。また、第２エアロック室ダクト（37）、この例では第２エアロック室ダクト（37）の天井裏部（37c）には、内部を通る空気中の塵埃を除去するフィルタ（41）が設けられている。
【００３９】
第１着衣室ダクト（38）は、第１着衣室（18）の排気口（18b）が流入開口となる一方、第１着衣室（18）の給気口（18a）が流出開口となっている。第１着衣室ダクト（38）は、第１着衣室（18）の排気口（18b）に連通して第１着衣室（18）ないし第１エアロック室（16）の床下を通る床下部（38a）と、この床下部（38a）に連通して床側から天井側に向かって上下方向に延びる空気上昇部（38b）と、この空気上昇部（38b）に連通しかつ天井裏を延びて第１着衣室（18）の給気口（18a）に連通する天井裏部（38c）とを有する。第１着衣室ダクト（38）の空気上昇部（38b）は、ダクト室（20）に配置されている。第１着衣室ダクト（38）の空気上昇部（38b）は、第１脱衣室（14）と第１着衣室（18）との間、より具体的には第１脱衣ロッカー（14c）と第１着衣ロッカー（18c）との間に配置されている。また、第１着衣室ダクト（38）、この例では第１着衣室ダクト（38）の天井裏部（38c）には、内部を通る空気中の塵埃を除去するフィルタ（41）が設けられている。
【００４０】
第２着衣室ダクト（39）は、第２着衣室（19）の排気口（19b）が流入開口となる一方、第２着衣室（19）の給気口（19a）が流出開口となっている。第２着衣室ダクト（39）は、第２着衣室（19）の排気口（19b）に連通して第２着衣室（19）ないし第２エアロック室（17）の床下を通る床下部（39a）と、この床下部（39a）に連通して床側から天井側に向かって上下方向に延びる空気上昇部（39b）と、この空気上昇部（39b）に連通しかつ天井裏を延びて第２着衣室（19）の給気口（19a）に連通する天井裏部（39c）とを有する。第２着衣室ダクト（39）の空気上昇部（39b）は、ダクト室（20）に配置されている。第２着衣室ダクト（39）の空気上昇部（39b）は、第２脱衣室（15）と第２着衣室（19）との間、より具体的には第２脱衣ロッカー（15c）と第２着衣ロッカー（19c）との間に配置されている。また、第２着衣室ダクト（39）、この例では第２着衣室ダクト（39）の天井裏部（39c）には、内部を通る空気中の塵埃を除去するフィルタ（41）が設けられている。
【００４１】
−空気の流れ−
更衣室（10）における空気の流れについて、図２および図３を参照して説明する。同図に示すように、更衣室（10）では、各室（11〜19）の内部、各室（11〜19）の排気口（11b〜19b）、各室（11〜19）に対応するダクト（31〜39）、各室（11〜19）の給気口（11a〜19a）、そして各室（11〜19）の内部の順に空気が循環して流れる。例えば、第１脱衣室（14）では、第１脱衣室（14）の内部、第１脱衣室（14）の排気口（14b）、第１脱衣室ダクト（34）の床下部（34a）、第１脱衣室ダクト（34）の空気上昇部（34b）、第１脱衣室ダクト（34）の天井裏部（34c）、第１脱衣室（14）の給気口（14a）、そして第１脱衣室（14）の内部の順に空気が循環して流れる。循環する空気中の塵埃は、各ダクト（31〜39）に設けられたフィルタ（41）によって除去される。
【００４２】
−入室経路および退室経路−
クリーンルームに対する入室経路および退室経路について、図１を参照して説明する。同図に白抜き矢印で示すように、クリーンルームに入る者は、第１前室（11）、第１脱衣室（14）、第１エアロック室（16）、第１着衣室（18）、および第２前室（12）をこの順に通り、第１脱衣室（14）でそれまで着ていた通常の衣服を脱ぐ一方、第１着衣室（18）でクリーンルーム用の衣服を着る。一方、クリーンルームから出る者は、第３前室（13）、第２脱衣室（15）、第２エアロック室（17）、第２着衣室（19）、および第１前室（11）をこの順に通り、第２脱衣室（15）でそれまで着ていたクリーンルーム用の衣服を脱ぐ一方、第２着衣室（19）で通常の衣服を着る。
【００４３】
−実施形態１の効果−
本実施形態の更衣室（10）は、それぞれが天井側に設けられた給気口（14a〜19a）および床側に設けられた排気口（14b〜19b）を有し、順に一列に並んで配置された第１および第２脱衣室（14,15）、第１および第２エアロック室（16,17）、ならびに第１および第２着衣室（18,19）と、上記第１および第２脱衣室（14,15）の上記排気口（14b,15b）から流入した空気が通る第１および第２脱衣室ダクト（34,35）と、上記第１および第２エアロック室（16,17）の上記排気口（16b,17b）から流入した空気が通る第１および第２エアロック室ダクト（36,37）と、上記第１および第２着衣室（18,19）の上記排気口（18b,19b）から流入した空気が通る第１および第２着衣室ダクト（38,39）とを備える。上記第１および第２脱衣室ダクト（34,35）、上記第１および第２エアロック室ダクト（36,37）、ならびに上記第１および第２着衣室ダクト（38,39）の各々は、床側から天井側に向かって上下方向に延びる空気上昇部（34b〜39b）を有する。上記第１および第２脱衣室ダクト（34,35）、上記第１および第２エアロック室ダクト（36,37）、ならびに第１および第２上記着衣室ダクト（38,39）の上記空気上昇部（34b〜39b）は、上記第１および第２脱衣室（14,15）と上記第１および第２着衣室（18,19）との間に配置されている。
【００４４】
本実施形態の更衣室（10）では、第１および第２脱衣室（14,15）の排気口（14b,15b）から流入した空気が、第１および第２脱衣室ダクト（34,35）の空気上昇部（34b,35b）を通って床側から天井側に向かって流れ、第１および第２エアロック室（16,17）の排気口（16b,17b）から流入した空気が、第１および第２エアロック室ダクト（36,37）の空気上昇部（36b,37b）を通って床側から天井側に向かって流れ、第１および第２着衣室（18,19）の排気口（18b,19b）から流入した空気が、第１および第２着衣室ダクト（38,39）の空気上昇部（38b,39b）を通って床側から天井側に向かって流れる。そして、各空気上昇部（33b〜39b）が第１および第２脱衣室（14,15）と第１および第２着衣室（18,19）との間に配置されている。つまり、第１および第２脱衣室（14,15）または第１および第２着衣室（18,19）の内部には、空気上昇部（34b〜39b）が存在しない。したがって、第１および第２脱衣室（14,15）または第１および第２着衣室（18,19）を利用する者は、その内部空間を各ダクト（34〜39）に妨げられることなく有効活用することができる。また、各室（14〜19）において、天井側からの給気と床側からの排気を行うことによって塵埃を効率的に除去することができる一方、そのような空気流れを実現するための各ダクト（34〜39）の空気上昇部（34b〜39b）によって第１および第２脱衣室（14,15）または第１および第２着衣室（18,19）の室内空間を狭めることがない。したがって、着替えを行うための空間を狭めることなく、各室（14〜19）内の清浄度を向上させることができる。
【００４５】
また、本実施形態の更衣室（10）は、上記第１および第２脱衣室（14,15）に配置された第１および第２脱衣ロッカー（14c,15c）と、上記第１および第２着衣室（18,19）に配置された第１および第２着衣ロッカー（18c,19c）とを備える。上記第１脱衣室ダクト（34）、上記第１エアロック室ダクト（46）、および上記第１着衣室ダクト（38）の上記空気上昇部（34b,36b,38b）は、上記第１脱衣ロッカー（14c）と上記第１着衣ロッカー（18c）との間に配置されている。上記第２脱衣室ダクト（35）、上記第２エアロック室ダクト（37）、および上記第２着衣室ダクト（39）の上記空気上昇部（35b,37b,39b）は、上記第２脱衣ロッカー（15c）と上記第２着衣ロッカー（19c）との間に配置されている。したがって、第１および第２脱衣ロッカー（14c,15c）と第１および第２着衣ロッカー（18c,19c）との間の空間を、各ダクト（34〜39）の空気上昇部（34b〜39b）を配置するために有効活用することができる。
【００４６】
また、本実施形態の更衣室（10）は、上記第１エアロック室（16）と上記第２エアロック室（17）との間に配置されたダクト室（20）を備える。上記第１および第２脱衣室ダクト（34,35）、上記第１および第２エアロック室ダクト（36,37）、ならびに上記第１および第２着衣室ダクト（38,39）の上記空気上昇部（34b〜39b）は、上記ダクト室（20）に配置されている。このため、各ダクト（34〜39）の空気上昇部（34b〜39b）を配置するために、１つのダクト室（20）を更衣室（10）に設ければ足りる。したがって、各ダクト（34〜39）の空気上昇部（34b〜39b）を分散して配置する場合に比べて、更衣室（10）の構造をシンプルなものにすることができる。
【００４７】
また、本実施形態の更衣室（10）において、上記第１および第２脱衣室（14,15）の上記給気口（14a,15a）と上記排気口（14b,15b）とは、上記第１および第２脱衣室ダクト（34,35）を介して互いに連通している。上記第１および第２エアロック室（16,17）の上記給気口（16a,17a）と上記排気口（16b,17b）とは、上記第１および第２エアロック室ダクト（36,37）を介して互いに連通している。上記第１および第２着衣室（18,19）の上記給気口（18a,19a）と上記排気口（18b,19b）とは、上記第１および第２着衣室ダクト（38,39）を介して互いに連通している。上記第１および第２脱衣室ダクト（34,35）、上記第１および第２エアロック室ダクト（36,37）、ならびに上記第１および第２上記着衣室ダクト（38,39）の各々には、内部を通る空気中の塵埃を除去するフィルタ（41）が設けられている。したがって、例えば第１脱衣室（14）を例にとると、第１脱衣室（14）、排気口（14b）、第１脱衣室ダクト（34）、給気口（14a）、そして第１脱衣室（14）の順に空気が循環する。そして、循環する空気中の塵埃が第１脱衣室ダクト（34）に設けられたフィルタ（41）によって除去され、よって第１脱衣室（14）に供給される空気の清浄度が保たれる。第２脱衣室（15）、第１および第２エアロック室（16,17）、ならびに第１および第２着衣室（18,19）についても同様である。
【００４８】
《実施形態２》
実施形態２について図４を参照して説明する。同図に示すように、本実施形態のクリーンルーム用の更衣室（10）は、各ロッカー（14c,15c,18c,19c）の配置と、各ダクト（31〜39）の空気上昇部（31b〜39b）の配置とが実施形態１と異なる。なお、図４において、更衣室（10）の左側にクリーンルームが存在する。
【００４９】
−脱衣ロッカーおよび着衣ロッカーの配置−
図４に示すように、第１脱衣ロッカー（14c）は、第１脱衣室（14）における第２着衣室（19）とは反対側（図４における上側）に一列に並んで複数（この例では、４つ）配置されている。第１着衣ロッカー（18c）は、第１着衣室（18）における第２脱衣室（15）とは反対側（図４における上側）に一列に並んで複数（この例では、４つ）配置されている。つまり、第１脱衣ロッカー（14c）と第１着衣ロッカー（18c）とは、後述する第１ダクト室（21）を挟んで互いに一列に並んで配置されている。
【００５０】
第２脱衣ロッカー（15c）は、第２脱衣室（15）における第１着衣室（18）とは反対側（図４における下側）に一列に並んで複数（この例では、４つ）配置されている。第２着衣ロッカー（19c）は、第２着衣室（19）における第１脱衣室（14）とは反対側（図４における下側）に一列に並んで複数（この例では、４つ）配置されている。つまり、第２脱衣ロッカー（15c）と第２着衣ロッカー（19c）とは、後述する第２ダクト室（22）を挟んで互いに一列に並んで配置されている。
【００５１】
−ダクト室および空気上昇部の配置−
図４に示すように、更衣室（10）は、第１ダクト室（21）および第２ダクト室（22）を備える。第１ダクト室（21）は、第１エアロック室（16）を挟んで第２エアロック室（17）とは反対側（すなわち、図４において第１エアロック室（16）の上側）に設けられている。第２ダクト室（22）は、第２エアロック室（17）を挟んで第１エアロック室（16）とは反対側（すなわち、図４において第２エアロック室（17）の下側）に設けられている。
【００５２】
また、第１ダクト室（21）は、第１脱衣室（14）と第１着衣室（18）との間、より具体的には第１脱衣ロッカー（14c）と第１着衣ロッカー（18c）との間に配置されている。第２ダクト室（22）は、第２脱衣室（15）と第２着衣室（19）との間、より具体的には第２脱衣ロッカー（15c）と第２着衣ロッカー（19c）との間に配置されている。
【００５３】
第１ダクト室（21）には、第１および第２前室ダクト（31,32）、第１脱衣室ダクト（34）、第１エアロック室ダクト（36）、および第１着衣室ダクト（38）の空気上昇部（31b,32b,34b,36b,38b）が配置されている。第２ダクト室（22）には、第３前室ダクト（33）、第２脱衣室ダクト（35）、第２エアロック室ダクト（37）、および第２着衣室ダクト（39）の空気上昇部（33b,35b,37b,39b）が配置されている。
【００５４】
《その他の実施形態》
上記実施形態については、以下のような構成としてもよい。
【００５５】
上記実施形態１では、ダクト室（20）は、第１脱衣室（14）と第１着衣室（18）との間から第２脱衣室（15）と第２着衣室（19）との間にまたがって配置されているが、例えば、第１脱衣室（14）と第１着衣室（18）との間に全体が配置されていてもよいし、第２脱衣室（15）と第２着衣室（19）との間に全体が配置されていてもよい。
【００５６】
また、各上記実施形態では、ダクト室（20）または第１および第２ダクト室（21,22）は、第１または第２脱衣ロッカー（14c,15c）と第１または第２着衣ロッカー（18c,19c）との間に配置されているが、第１または第２脱衣室（14,15）と第１または第２着衣室（18,19）との間に配置されている限り、その他の位置に配置されていてもよい。
【００５７】
また、各上記実施形態では、第１脱衣室（14）と第２着衣室（19）とが隣接すると共に、第１着衣室（18）と第２脱衣室（15）とが隣接しているが、第１または第２脱衣室（14,15）、第１または第２エアロック室（16,17）、および第１または第２着衣室（18,19）がこの順に一列に並んで配置されている限り、各室（14〜19）の配置はその他の任意のものであってもよい。
【００５８】
また、各上記実施形態では、各ダクト（31〜39）の天井裏部（31c〜39c）にフィルタ（41）が設けられているが、各ダクト（31〜39）の床下部（31a〜39a）または空気上昇部（31b〜39b）にフィルタ（41）が設けられていてもよい。
【００５９】
また、各上記実施形態では、各室（11〜19）の給気口（11a〜19a）と排気口（11b〜19b）とは、対応するダクト（31〜39）を介して互いに連通しているが、互いに流体的に分離されていてもよい。この場合、各室（11〜19）の給気口（11a〜19a）と屋外とを互いに連通させる給気ダクト（図示せず）が設けられると共に、当該給気ダクトにフィルタ（41）が設けられる。また、各室（11〜19）の排気口（11b〜19b）に接続された各ダクト（31〜39）は、屋外に連通するように構成される。
【００６０】
以上、実施形態を説明したが、特許請求の範囲の趣旨および範囲から逸脱することなく、形態や詳細の多様な変更が可能なことが理解されるであろう。また、以上の実施形態は、本開示の対象の機能を損なわない限り、適宜組み合わせたり、置換したりしてもよい。
【産業上の利用可能性】
【００６１】
以上説明したように、本開示は、クリーンルーム用の更衣室について有用である。
【符号の説明】
【００６２】
10  更衣室
14  第１脱衣室（入室経路の脱衣室）
14a〜19a  給気口
14b〜19b  排気口
14c  第１脱衣ロッカー（脱衣ロッカー）
15  第２脱衣室（退室経路の脱衣室）
15c  第２脱衣ロッカー（脱衣ロッカー）
16  第１エアロック室（入室経路のエアロック室）
17  第２エアロック室（退室経路のエアロック室）
18  第１着衣室（入室経路の着衣室）
18c  第１着衣ロッカー（着衣ロッカー）
19  第２着衣室（退室経路の着衣室）
19c  第２着衣ロッカー（着衣ロッカー）
20  ダクト室
34  第１脱衣室ダクト（脱衣室ダクト）
34b〜39b  空気上昇部
35  第２脱衣室ダクト（脱衣室ダクト）
36  第１エアロック室ダクト（エアロック室ダクト）
37  第２エアロック室ダクト（エアロック室ダクト）
38  第１着衣室ダクト（着衣室ダクト）
39  第２着衣室ダクト（着衣室ダクト）
41  フィルタ
【図１】
2019174071.tif 000003
【図２】
2019174071.tif 000004
【図３】
2019174071.tif 000005
【図４】
2019174071.tif 000006